【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
光ディスクに記録されたオーディオデータを読み取る読取部と、
前記読取部が読み取ったオーディオデータ並びに第１の音源データ及び第２の音源データを記憶する記憶部と、
前記記憶部に記憶されたオーディオデータ、第１の音源データ及び第２の音源データの読み出しを指示する操作部と、
前記読取部、前記記憶部及び前記操作部を制御する制御部とを備え、
前記操作部は、第１の再生モードまたは第２の再生モードを選択するモード選択部と、回転可能に設けられた操作円盤部と、前記操作円盤部を載置する載置部と、前記操作円盤部の外周に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部と、スライダーを有し当該スライダーをスライドさせることにより前記第２の音源データの音程を上下に変化させるピッチスライダーとを備え、
前記制御部は、前記モード選択部により前記第１の再生モードが選択された場合、前記第１の検出部から前記第１の検出信号が出力されると共に前記第２の検出部から前記第２の検出信号が出力されたとき前記第１の検出部から出力された前記第１の検出信号に応じた読み出し速度及び読み出し順序で前記記憶部に記憶したオーディオデータを読み出すよう制御し、前記モード選択部により前記第２の再生モードが選択された場合、前記第２の検出部から前記第２の検出信号が出力される毎に前記記憶部に記憶した前記第１の音源データを読み出し、前記第３の検出部から前記第３の検出信号が出力される毎に前記記憶部に記憶した前記第２の音源データを読み出すよう制御することを特徴とする光ディスク再生装置。
【請求項２】
光ディスクに記録されたオーディオデータを読み取る読取部と、
前記読取部が読み取ったオーディオデータ並びに第１の音源データ及び第２の音源データを記憶する記憶部と、
前記記憶部に記憶されたオーディオデータ、第１の音源データ及び第２の音源データの読み出しを指示する操作部と、
前記読取部、前記記憶部及び前記操作部を制御する制御部とを備え、
前記操作部は、回転可能に設けられた操作円盤部と、前記操作円盤部を載置する載置部と、前記操作円盤部の外周に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部と、スライダーを有し当該スライダーをスライドさせることにより前記第２の音源データの音程を上下に変化させるピッチスライダーとを備え、
前記制御部は、前記第２の検出部から前記第２の検出信号が出力されてから予め定めた時間以内に前記第２の検出信号が出力されなくなった場合、前記記憶部に記憶した第１の音源データを読み出すよう制御し、前記第２の検出部から前記第２の検出信号が出力されてから予め定めた時間を超えて前記第２の検出信号が出力されている場合、前記第１の検出部から出力された前記第１の検出信号に応じた読み出し速度及び読み出し順序で前記記憶部に記憶したオーディオデータを読み出すよう制御し、前記第３の検出部から前記第３の検出信号が出力される毎に前記記憶部に記憶した前記第２の音源データを読み出すよう制御することを特徴とする光ディスク再生装置。
【手続補正２】
【補正対象書類名】明細書
【補正対象項目名】００１７
【補正方法】変更
【補正の内容】
【００１７】
上記の課題を解決するために、本願の請求項１記載の発明は、光ディスク再生装置において、光ディスクに記録されたオーディオデータを読み取る読取部と、前記読取部が読み取ったオーディオデータ並びに第１の音源データ及び第２の音源データを記憶する記憶部と、前記記憶部に記憶されたオーディオデータ、第１の音源データ及び第２の音源データの読み出しを指示する操作部と、前記読取部、前記記憶部及び前記操作部を制御する制御部とを備え、前記操作部は、第１の再生モードまたは第２の再生モードを選択するモード選択部と、回転可能に設けられた操作円盤部と、前記操作円盤部を載置する載置部と、前記操作円盤部の外周に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部と、スライダーを有し当該スライダーをスライドさせることにより前記第２の音源データの音程を上下に変化させるピッチスライダーとを備え、前記制御部は、前記モード選択部により前記第１の再生モードが選択された場合、前記第１の検出部から前記第１の検出信号が出力されると共に前記第２の検出部から前記第２の検出信号が出力されたとき前記第１の検出部から出力された前記第１の検出信号に応じた読み出し速度及び読み出し順序で前記記憶部に記憶したオーディオデータを読み出すよう制御し、前記モード選択部により前記第２の再生モードが選択された場合、前記第２の検出部から前記第２の検出信号が出力される毎に前記記憶部に記憶した前記第１の音源データを読み出し、前記第３の検出部から前記第３の検出信号が出力される毎に前記記憶部に記憶した前記第２の音源データを読み出すよう制御することを特徴とする。
【手続補正３】
【補正対象書類名】明細書
【補正対象項目名】００１８
【補正方法】変更
【補正の内容】
【００１８】
また、本願の請求項２記載の発明は、光ディスク再生装置において、光ディスクに記録されたオーディオデータを読み取る読取部と、前記読取部が読み取ったオーディオデータ並びに第１の音源データ及び第２の音源データを記憶する記憶部と、前記記憶部に記憶されたオーディオデータ、第１の音源データ及び第２の音源データの読み出しを指示する操作部と、前記読取部、前記記憶部及び前記操作部を制御する制御部とを備え、前記操作部は、回転可能に設けられた操作円盤部と、前記操作円盤部を載置する載置部と、前記操作円盤部の外周に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部と、スライダーを有し当該スライダーをスライドさせることにより前記第２の音源データの音程を上下に変化させるピッチスライダーとを備え、前記制御部は、前記第２の検出部から前記第２の検出信号が出力されてから予め定めた時間以内に前記第２の検出信号が出力されなくなった場合、前記記憶部に記憶した第１の音源データを読み出すよう制御し、前記第２の検出部から前記第２の検出信号が出力されてから予め定めた時間を超えて前記第２の検出信号が出力されている場合、前記第１の検出部から出力された前記第１の検出信号に応じた読み出し速度及び読み出し順序で前記記憶部に記憶したオーディオデータを読み出すよう制御し、前記第３の検出部から前記第３の検出信号が出力される毎に前記記憶部に記憶した前記第２の音源データを読み出すよう制御することを特徴とする。
【手続補正４】
【補正対象書類名】明細書
【補正対象項目名】００２９
【補正方法】変更
【補正の内容】
【００２９】
本実施例の第１の検出部である光センサ部２９は、操作円盤部２３と共に回転するスケール部２７の回転速度及び回転方向を検出するために、２つの光センサを備え、スリット部２７aを検出できる位置で筐体部２８に固定されている。光センサ部２９は、スリット部２７aを検出すると、２つの光センサから位相が異なる（例えば、９０度の位相差）パルス信号a及びパルス信号bを発生して制御部１１に出力する。本実施例では、この位相の異なるパルス信号a及びパルス信号bを回転検出信号という。
【手続補正５】
【補正対象書類名】明細書
【補正対象項目名】００３１
【補正方法】変更
【補正の内容】
【００３１】
図３（ｂ）に示すように、本実施例のCDプレーヤの操作者（ＤＪ）が操作円盤部２３の外周部分を押圧した場合、載置部２１、マット部２２及び操作円盤部２３は、凸部２８１の外周端を支点として押圧力により下方向に撓む。このとき、載置部２１の外周部分が押圧検出部３０のスイッチ部３０aを押し下げると、押圧検出部３０は、押圧検出信号を制御部１１に出力する。
【手続補正６】
【補正対象書類名】明細書
【補正対象項目名】００３２
【補正方法】変更
【補正の内容】
【００３２】
制御部１１は、入力される回転検出信号のパルス信号aとパルス信号bの位相差に基づいて操作円盤部２３の回転方向を判別する。例えば、パルス信号a及びパルス信号bの位相差が９０度である場合、操作円盤部２３が時計回り方向に回転しているとき、パルス信号aは、パルス信号bに対して、＋９０度の位相差となる。また、操作円盤部２３が反時計回り方向に回転しているとき、パルス信号aは、パルス信号bに対して、−９０度の位相差となる。また、制御部１１は、一定時間に入力された回転検出信号のパルス信号a又はパルス信号bのどちらか一方のパルス信号のパルス数から操作円盤部２３の回転速度を判別する。
【手続補正７】
【補正対象書類名】明細書
【補正対象項目名】００３８
【補正方法】変更
【補正の内容】
【００３８】
スクラッチ再生を行う場合は、先ず、モード選択ノブ１７を操作してモード選択ノブ１７からスクラッチ再生指示信号が出力されるようにする。次に、ＤＪは、通常再生をしているときに手で操作円盤部２３の外周部分を押しながら素早く時計回り方向又は反時計回り方向に回転させる。通常、アナログレコードプレーヤを用いてスクラッチ再生を行うとき、ターンテーブルの回転に逆らって素早くアナログレコードを回転させるために、ＤＪは、アナログレコードを押しながら回転操作を行う。また、アナログレコードを回転させるとき、ＤＪは、アナログレコードの内周部よりも外周部に手を添えるほうがアナログレコードを回転させ易い。このため、ＤＪがアナログレコードと同様の操作感覚で操作円盤部２３を操作すると、操作円盤部２３は、外周部分が下方向に押圧されながら回転操作される。
【手続補正８】
【補正対象書類名】明細書
【補正対象項目名】００３９
【補正方法】変更
【補正の内容】
【００３９】
ＤＪが操作円盤部２３の外周部分を押しながら回転操作すると、図３（ｂ）に示すように、載置部２１、マット部２２及び操作円盤部２３は、凸部２８１の外周端を支点として押圧力により下方向に撓む。このとき、載置部２１の外周部分が１又は複数の押圧検出部３０のスイッチ部３０aを押し下げると、押圧検出部３０は、押圧検出信号を制御部１１に出力する。また、光センサ部２９は、回転しているスリット部２７aを検出すると、回転検出信号（上述したパルス信号a及びパルス信号b）を発生して制御部１１に出力する。したがって、ＤＪが操作円盤部２３の外周部分を押圧しながら回転操作を開始すると、押圧検出信号及び回転検出信号が制御部１１に出力される。
【手続補正９】
【補正対象書類名】明細書
【補正対象項目名】００４０
【補正方法】変更
【補正の内容】
【００４０】
制御部１１は、押圧検出信号及び回転検出信号が共に入力されているとき、回転検出信号に基づいて判別した操作円盤部２３の回転速度及び回転方向に対応した読み出し速度及び読み出し順序でＲＡＭ８からデジタルオーディオデータを読み出すようにメモリ制御部７を制御する。
【手続補正１０】
【補正対象書類名】明細書
【補正対象項目名】００５０
【補正方法】変更
【補正の内容】
【００５０】
図５に示すように、ＤＪが操作円盤部２３の上面を叩くことによって、図４のステップＳ１０に示すように、ＲＡＭ８に記憶されている第１の音源データが読み出され、出力端子１０から楽器のドラムと同様の音の信号である第１の音源信号が出力される。また、ＤＪが接触検出部３２に指を接触させている間、図４のステップＳ１２に示すように、ＲＡＭ８に記憶されている第２の音源データが読み出される。このとき、図５に示すように、ＤＪがピッチスライダー１８のスライダーを上方にスライドさせることによって、第２の音源信号の音程が高く変化して出力端子１０から出力され、また、ピッチスライダー１８のスライダーを下方にスライドさせることによって、第２の音源信号の音程が低く変化して出力端子１０から出力される。
【手続補正１１】
【補正対象書類名】明細書
【補正対象項目名】００５３
【補正方法】変更
【補正の内容】
【００５３】
本実施例の光ディスク再生装置１００は、押圧検出部３０をプッシュ型スイッチとして説明したが、押圧検出部３０を光センサとしても良い。押圧検出部３０を光センサとした場合、載置部２１の外周部分が予め定められた位置まで撓むと、この光センサが載置部２１の外周部分を検出することができる位置に光センサを筐体部２８に固定することによって、操作円盤部２３が押圧されたことを検出することができる。
【手続補正１２】
【補正対象書類名】図面
【補正対象項目名】図３
【補正方法】変更
【補正の内容】
【図３】
2007280436.tif 000001